(57)【要約】【課題】ヒートポンプを活用した床下冷暖房で、強制循環器で生成の冷温風を、閉構造された床下の隅々まで行き届かせ、温度ムラのない床板からのふく射熱による低コストの冷暖房を実現できる、建物用の吸込みダクト付攪拌型送風機を提供する。【解決手段】閉構造された建物の床下に備えた冷暖房装置の強制循環器から作られる冷温風を床下空間へ供給し、床下空間の温度のバラツキを低減する目的で、強制循環器から離れた床下に攪拌型送風機を設置し、ダクトを介して冷温風を引き込み、床下空間へ繰り返し供給するための攪拌型送風機は、シロッコファンの外周に環状のファンケーシングを設け、ファンケーシングの内周側を空気入り口に、外周側を空気排出口とした複数のボリュート空気通路を形成し、さらに、ファンケーシングにはシロッコファンの吸込み口側に少なくとも一個のダクトを取り付ける。【選択図】  図１
2012255583.tif 000002
【特許請求の範囲】
【請求項１】
閉構造された建物の床下に備えた冷暖房装置の強制循環器から作られる冷温風の空気を床下空間へ供給し、前記床下空間の温度のバラツキを低減する目的で、前記強制循環器から離れた床下に攪拌型送風機を設置し、ダクトを介して前記冷温風の空気を引き込み、該冷温風を前記攪拌型送風機で床下空間へ繰り返し供給するための攪拌型送風機は、モーターを用いて垂直軸で回転するシロッコファンの外周に環状のファンケーシングを備え、該ファンケーシングには内周側を空気入り口に、外周側を空気排出口とした複数のボリュート空気通路を形成し、該ボリュート空気通路は回転方向へ高さが徐々に高くなる傾斜の空気通路を形成し、または、回転方向へ垂直の空気通路を形成すると共に、該垂直の空気通路はファンの回転軸方向に一段か、もしくは複数段に仕切られて形成され、さらに、前記ファンケーシングの片面或いはシロッコファン下部面側に吸込み口を設け、該吸込み口に少なくとも一個のダクトを取り付けたことを特徴とする吸込みダクト付攪拌型送風機。
【発明の詳細な説明】
【技術分野】
【０００１】
本発明は、ヒートポンプを活用した床下冷暖房で、強制循環器で生成の冷温風を、閉構造された床下の隅々まで行き届かせ、温度ムラのない床板からのふく射熱による低コストの冷暖房を実現できる、建物用の吸込みダクト付攪拌型送風機に関する。
【背景技術】
【０００２】
建物の気密化や布基礎構造、住宅密集等による家屋内空気の流通不足で充分な換気がなされず、床下等に高湿空気が滞留し、その結果、結露やカビの発生、土台の腐朽、シロアリの発生等があり、その予防や対策のため、排気型送風機や攪拌型送風機等の強制換気導入により高湿環境改善を行ってきた。一方、基礎断熱住宅の普及に伴い、閉構造された建物の床下空間を暖房に利用する建物が導入されつつあり、例えば、ヒートポンプの熱交換器で生成した温風をダクトを介して床下空間内に吹き出し、床上の室内空間をふく射熱により暖房する温風方式等が提案されているが、温風はダクト吹き出し口と熱交換器を結ぶ最小抵抗の通風経路を流通する（ショートサーキット）ため、また床下空間は中基礎が複雑に配置されているので、床下の隅々まで温風が行き届き難く、各区画の温度のバラツキが大きくなる傾向にあり、普及していないのが現状である。なお、本願発明に関する関連技術として下記物件がある。
【先行技術文献】
【特許文献】
【０００３】
【特許文献１】特開２００１−３５５５９８号公報
【特許文献２】特開２００３−２８０９５号公報
【特許文献３】特開２００５−２２１１３０号公報
【特許文献４】特開２００７−１１３８４７号公報
【特許文献５】特開２００１−１９３１７９号公報
【特許文献６】特開２００７−５１８５９号公報
【０００４】
上記特許文献１では、「１個のモーターおよびファンと、このファンの周りに配置された環状のファンケーシングとを備える建物用送風攪拌装置であって、前記ファンケーシングを、ファンの回転軸方向に複数段に仕切って分割し、複数段の環状のケーシング部分を形成し、各ケーシング部分に周方向にほぼ等間隔をおいて、複数個のボリュート空気通路を形成し、ボリュート空気通路の空気流入口と排出口の周方向の形成位置を、各段のケーシング部分で変位させたことを特徴とする建物用送風攪拌装置。」が記載されている。
【０００５】
さらに特許文献２では、「１個のモーターおよびファンと、このファンの周りに配置された環状のファンケーシングとを備える建物用送風攪拌装置であって、前記ファンケーシングに、１個または複数個のボリュート空気通路を形成し、このボリュート空気通路の前記ファンケーシングの外周に形成される空気排出口を斜めに形成し、前記空気排出口が前記ファンケーシングのほぼ全長にわたって連続するようにしたことを特徴とする建物用送風攪拌装置。」が記載されている。
【０００６】
さらに特許文献３では、「ケーシングに送風口と吸気口を形成すると共に、前記ケーシング内に送風ファンを配設した本体部と、保持体の立設板部に沿って移動板を移動自在とした吊下支持部と、から構成されることを特徴とする換気装置。」が記載されている。
【０００７】
さらに特許文献４では、「住宅の床下または天井裏に配置され、１個のモーター、このモーターによって回転駆動される水車型ファン、およびこのファンの周りに配置された環状のファンケーシングを備え、このファンケーシングの片側中央に空気吸込み口を備え、このケーシングの周囲の吸込み口から遠い部分に、前記水車型ファンからの風の一部を床下または天井裏から排気するための排気部が設けられ、前記ケーシングの周囲の吸込み口から近い部分に、前記水車型ファンからの風の残部を攪拌送風用として周囲に吹き出す複数の空気吹き出し口が設けられていることを特徴とする攪拌送風機能付き排気装置。」が記載されている。
【０００８】
さらに特許文献５では、「小屋裏に小屋裏を換気する換気装置を設け、この換気装置に室内空気を排気するための小屋裏スペースを連結してなる建物換気システム。」が記載されている。
【０００９】
さらに特許文献６では、「床下を閉鎖空間とした基礎断熱住宅における床下暖房システムであって、床下空間内に温風の吹き出しダクトを備える暖房設備を設置し、前記ダクトから吹き出される温風を前記床下空間に対流させることで、床上の室内空間を暖房するよう構成された床下暖房システムにおいて、前記ダクトの温風吹き出し口の近傍に位置する土間表面に、吹き出された温風が保有する熱が地盤へ流出することを規制する断熱板を局所的に敷設したことを特徴とする床下暖房システム。」が記載されている。
【発明の概要】
【発明が解決しようとする課題】
【００１０】
以上に述べた従来の床下や小屋裏等の強制換気装置は、
空気汚染物質の排出や結露などの高湿環境改善のための通風換気のみならず、床下暖房の温風熱移送にも活用されている。さらに、強制換気装置の内、攪拌型送風機は、ダクト無しの方式とダクト付の方式に区分され、ダクト無しの攪拌型送風機は、本体の吸込み口から直ぐに空気を吸込み、本体側面の排気口から空気を複数方向に排出する。一方ダクト付の攪拌型送風機は、本体の吸込み口から直ちに空気を吸込み、本体側面の排気口から空気を複数方向に排出と共に、本体側面上部に設けられた一本のダクトの先端から排気、送風している。なお、これらの両方式では、すべて本体で直ちに吸込みを行い、側面から排気し、攪拌、送風する。一方、ダクト付吸込み型の送風機の場合は、送風機本体から離れた所の空気を複数のダクトを介して送風機に吸込み、小屋裏スペースから外気へ排出するが、送風機本体には攪拌機能は保有していない。さらに、床下暖房装置の温風方式では、ダクトから温風を吹き出すだけの機能で、別途、要所に補助ファンにより温風を対流させているが、本体には攪拌機能を保有していないので、床下の広範囲への空気の流通は期待できない。
【００１１】
また、特許文献１〜３は、前述した通り「ダクト無しの攪拌型送風機」で、送風機本体から直ちに空気を吸込んだ後、本体側面の排気口から空気を排出、本体近傍の空気を攪拌しながら一定距離の範囲に送風された空気の一部は、床下が閉構造されている場合、送風機本体に戻る循環経路を形成し送風、攪拌される。しかし、送風攪拌される範囲外からは、空気の吸込みや熱の移送ができず、したがって床下の広範囲への空気の流通は期待できない。
【００１２】
さらに、特許文献４は、「ダクト付の攪拌型送風機」で、送風機本体から直ぐに空気を吸込んだ後、本体側面の排気口から空気を排出、本体近傍の空気を攪拌しながら一定距離に送風された空気の一部は、床下が閉構造されている場合、送風機本体に戻る循環経路を形成し送風、攪拌される。同時に、送風機本体から吸込まれた空気の一部は、本体側面上部に接続のダクトから外気へ排気される。しかし、送風攪拌される範囲外からは、空気の吸込みや熱の移送もできず、したがって広範囲の循環経路が形成できず、床下の広範囲への空気の流通は期待できない。
【００１３】
さらに、特許文献５のダクト付吸込み型の送風機の場合は、送風機本体から離れた所から複数のダクトを介して送風機に室内空気を吸込み、送風機本体から小屋裏スペースを
経由して室外へ排出する第３種換気方式であるが、送風機本体には攪拌機能を保有せず、また空気流通の循環経路が形成されていない。
【００１４】
さらに、特許文献６では、床下空間全体について、暖房設備のダクトから吹き出された温風は床下空間を対流し、再び暖房設備に戻る循環経路が形成し難いと推測される。即ち床下空間は中基礎が複雑に配置されており、相当数の補助ファンを設置しないと、床下空間の広域を対流させるのは困難でありコスト高になる。またダクト吹き出し口近くの補助ファンは、最も抵抗が少なく、ショートサーキットにより温風吸込み量が多いが、一方、吹き出し口より遠い補助ファンは通風経路の抵抗が大きくなり、温風の吸込み量が少なくなると推測する。即ち床下の各区画の隅々まで温風が行き届き難く、温度のバラツキが大きくなり、そのため床上室内の温度ムラが大きくなる問題がある。
【００１５】
そこで本発明は、上記の問題点を解消するため、
熱エネルギー効率の高いヒートポンプを活用した床下冷暖房で、ヒートポンプの強制循環器（熱交換器）で生成の冷温風を、閉構造された床下の隅々まで流通、行き届かせ、温度のバラツキを低減した床下空間を作り、温度ムラのない床板からのふく射熱による低コストの冷暖房を実現できる吸込みダクト付攪拌型送風機を提供する。
【課題を解決するための手段】
【００１６】
本発明は上記課題を解決するために、その発明１は、閉構造された建物の床下に備えた冷暖房装置の強制循環器から作られる冷温風の空気を床下空間へ供給し、前記床下空間の温度のバラツキを低減する目的で、前記強制循環器から離れた床下に攪拌型送風機を設置し、ダクトを介して前記冷温風の空気を引き込み、該冷温風を前記攪拌型送風機で床下空間へ繰り返し供給するための攪拌型送風機は、モーターを用いて垂直軸で回転するシロッコファンの外周に環状のファンケーシングを備え、該ファンケーシングには内周側を空気入り口に、外周側を空気排出口とした複数のボリュート空気通路を形成し、該ボリュート空気通路は回転方向へ高さが徐々に高くなる傾斜の空気通路を形成し、または、回転方向へ垂直の空気通路を形成すると共に、該垂直の空気通路はファンの回転軸方向に一段か、もしくは複数段に仕切られて形成され、さらに、前記ファンケーシングの片面或いはシロッコファン下部面側に吸込み口を設け、該吸込み口に少なくとも一個のダクトを取り付けたことを特徴とする吸込みダクト付攪拌型送風機。
【発明の効果】
【００１７】
本発明は、上記構成から成るので以下に示す効果が期待できる。    
（１）攪拌型送風機に接続のダクト先端の空気引き込み部（吸込み部）を、攪拌型送風機本体より離れた所に設けられるので、引き込み部から攪拌型送風機まで長い距離の循環経路が形成でき、より広範囲の空気の流通が可能になる。
（２）冷温風された空気を床下空間を繰り返し攪拌、対流させることで冷温風を各区画の隅々まで流通、行き届かせて、温度のバラツキを低減した床下空間をつくると共に、室内は温度ムラのない床板からのふく射熱による快適な冷暖房が実現できる。
（３）床下の隅々まで繰り返し温風が流通し、暖められるので、床下各部の露点が上がり結露し難くなる。
（４）冷暖房しない期間も攪拌型送風機のみ稼動すれば、床下が通風され、たえず空気が動くので、床下空間は高湿空気が滞留せず良好な温熱環境が形成できる。
【図面の簡単な説明】
【００１８】
【図１】は、本発明の実施形態を示す吸込みダクト付攪拌型送風機の縦断面図を示す。
【図２】は、攪拌型送風機の外形図および断面図を示す。  図２（イ）は、図２（ロ）のＡ−Ａ視上図面。  図２（ロ）は、正面図。  図２（ハ）は、図２の（ロ）のＢ−Ｂ縦断面図。
【図３】は、攪拌型送風機の内部構造と吸込み、排気、攪拌等空気流通の状態を示す。  図３（イ）は図２（ロ）のＣ−Ｃ断面図でシロッコファンとファンケーシングの空気の流れ関係を示す。図３（ロ）、（ハ）、（ニ）は、攪拌型送風機の本体ブラケットを除いた状態で、ファンケーシング空気排出口の外部形状を示す。図３（ホ）は、ダクト先端からの空気引き込みと、攪拌型送風機から床下空間へ空気を供給する状態の模式図を示す。
【図４】は、図７の住宅への設置事例（２）に用いた攪拌型送風機を示す。  図４（イ）は、攪拌型送風機の吸込み口に分岐チャンバーＡを接続し、該分岐チャンバーＡに複数のダクトを取付け、ダクト先端は蓄熱空間から空気を引き込む状態を示す。図４（ロ）は、図４（イ）のＤ−Ｄ視の下面図を示す。
【図５】は、吸込みダクト部のバリエーションを示す。  図５（イ）は、図５（ロ）のＥ―Ｅ視上面図で、攪拌型送風機の吸込み口にエルボで吸込みダクトを取付けし、該吸込みダクトに分岐チャンバーＢを設置し、該分岐チャンバーＢに複数の分岐ダクトを取付け。  図５（ロ）は、図５（イ）のＦ−Ｆ断面と分岐チャンバーＢの側面図を示す。  図５（ハ）は、攪拌型送風機の吸込み口に直継手で吸込みダクトを取付けた縦断面図。
【図６】は、本発明の吸込みダクト付攪拌型送風機を用いた住宅事例（１）床下冷暖房システムを示す。  図６（イ）は、床下冷暖房システム設置の縦断面図。図６（ロ）は、図６（イ）の床下基礎部平面模式図。
【図７】は、本発明の吸込みダクト付攪拌型送風機を用いた住宅事例（２）床下冷暖房システムで蓄熱空間への設置例を示す。図７（イ）は、床下冷暖房システム設置の縦断面図。図７（ロ）は、図７（イ）の床下基礎部平面模式図。
【発明を実施するための形態】
【００１９】
以下、本発明の実施形態について図面に基づいて説明する。
【００２０】
図１は、図６に示す本発明の吸込みダクト付攪拌型送風機（以下略して「攪拌型送風機」と称す。）１３を設置した住宅設置例（１）の詳細を示し、ヒートポンプ室外ユニット１０で生成した冷温水や冷媒を、強制循環器（熱交換器）１２で生成の冷温風３４は、強制循環器１２に接続のダクト２９で送風される。一方、攪拌型送風機１３の本体吸込み口１８には、前記ダクト２９がエルボ２８で接続され、攪拌型送風機１３の稼動により前記冷温風３４がダクト２９から攪拌型送風機１３に引き込まれ、シロッコファン１７の回転によりファンケーシング１９で圧縮、加速され、さらにファンケーシング１９の図３（イ）の空気通路２３を経て、床下空間６へ冷温風３４が排気、供給され、床下空間６の広い面積を攪拌、対流し強制循環器１２に戻る循環経路が形成されており、繰り返し冷温風３４空気が床下の広い空間の隅々まで行き届くので、温度のバラツキが少なく、冷温風３４による床板４からのふく射熱３５により室内空間７が冷暖房される。なお、前記の図６に示す住宅設置例（１）は、本発明者が「特願２０１１−８７０４７」として特許出願中の物件である。さらに、本発明の攪拌型送風機１３を図７に示す住宅設置例（２）も、本発明者が「特願２０１１−９２５５１」として特許出願中の物件である。
【００２１】
次に、本発明の攪拌型送風機１３は、従来技術の攪拌型送風機の本体吸込み口１８にダクト２９を付加することで、新規の機能を追加し併せ持たせたものである。従来技術の攪拌型送風機は、モーター１５、シロッコファン１７、ファンケーシング１９等で構成されており、本体吸込み口１８から吸込まれた空気は、モーター１５に組み込まれたシロッコファン１７の回転によりファンケーシング１９に形成されたボリュート空気通路により圧縮され、ケーシングに作られた複数の本体排気口２４から排気される。これに対して、本発明の攪拌型送風機１３は、従来の攪拌型送風機に吸込みダクト２９を付加し、送風機本体より離れた所よりダクト２９により空気の吸込みがされるので、長い距離の冷温風３４の移送が可能になり、より長い循環経路が形成され、この経路を繰り返し広範囲に空気が流通されるので、従来の攪拌型送風機に比べ、設置台数も少なくでき、イニシャルコストおよびランニングコストが低減され、格段に温度のバラツキが少ない床下空間６をつくることができ、床上の室内空間７を床板４からのふく射熱３５により温度ムラのない効率の良い冷暖房ができる。
【００２２】
次に、本発明の攪拌型送風機１３本体の構造は、図１に示すように従来の攪拌型送風機とほぼ同様で、本体ブラケット１４、モーター１５、シロッコファン１７、ファンケーシング１９等で構成されており、躯体への取付けは大引き等に吊り下げるか、またはコンクリートスラブ３の上に据付けても良い。さらに、攪拌型送風機１３は、上下逆にして上部を吸込み口１８に、下部をブラケット１４側にして設置しても良い。さらに、部材、部品は、モーターの垂直軸１６にシロッコファン１７を回転できるように装着し、モーター１５をファンケーシング上板２０に取付ける。モーター１５は、ＡＣモーターまたはＤＣモーターを使用し、該モーター１５を稼動させ、操作するための基板等が装備されている。なお、前記ファンケーシング１９の空気通路２３の仕様、内容については、図３で詳述する。
【００２３】
さらに、図１に示す本体ブラケット１４は、モーターカバーと一体にしているが、別体にしても良く、また設置場所により形状を変えても良い。さらに本体ブラケット１４は、モーター１５が放熱し易いように周囲は、通風用の穴あけがされており、さらに、構成材はアルミ材やステンレス材、鋼材、プラスチック樹脂等の材料で作られている。さらに、ファンケーシング１９は、上板２０、下板２１、中央部の風ガイド２２で構成されており、ネジ等で組立されているが、上板２０と風ガイド２２、或いは下板２１と風ガイド２２は一体に形成しても良い。ケーシング１９や上板２０、下板２１、風ガイド２２等の材料は、アルミ型材やアルミ板、ステンレス材、ＥＰＳ（低発泡スチロール）やプラスチック樹脂等で作られている。          
【００２４】
次に、図２（ロ）、（ハ）は、本発明の攪拌型送風機１３の本体吸込み口１８のケーシング下板２１にエルボ２８をネジ等で取付けを示し、前記エルボ２８に、ダクト２９をバンド３１で固定する。エルボ２８の吸込み口部の内径は、本体吸込み口１８の内径やシロッコファン１７の羽根の内径と同等程度にして圧損抵抗が大きくならないようにする。なお、図５（ハ）のように本体吸込み口１８に直継手３０を用いて直接ダクト２９を接続しても良いが、床下の高さが低い場合は、ダクト２９の曲げ径が小さくなり圧損抵抗が増大するので好ましくない。エルボ２８は、プラスチック樹脂や鋼板、ステンレス等で製作され、ダクト２９は、耐久性、耐熱性があり配管作業の容易なフレキシブル製（非フレキシブル製でも良い）のプラスチックやアルミ、鋼板、ステンレス等の金属製で構成されている。
【００２５】
次に図２（イ）は、攪拌型送風機１３の上面図で本体外形は、コンパクトにするため円形の形状をしているが、多角形状にしても良い。また、図２（ロ）の正面図において、本体排気口２４は垂直に形成されているが、これらの内容については図３で詳述する。さらに、図２（ハ）の本体ブラケット１４には、大引き５等に固定するためにあらかじめネジ穴が明けられており、防振用のゴム等を挟み込んでネジ等で固定する。
【００２６】
次に図３（イ）は、攪拌型送風機１３のファンケーシング１９の内部構造を示し、モーター１５稼動によりモーター垂直軸１６に取付けられたシロッコファン１７が回転し、ダクト２９や吸込みダクト３８で引き込まれた空気は、シロッコファン１７とボリュート曲線で形成された風ガイド２２間の複数の空気通路２３で圧縮、加速され、複数の本体排気口２４へ排気され床下へ送風、供給される。なお、図面事例の空気通路２３は、等間隔に５個所設置しているが、この空気通路２３の数は攪拌型送風機１３の大きさ、シロッコファン１７径、排出風量、排出速度（送風到達距離）等を勘案して決定する。さらに、本体排気口２４部の風ガイド２２の間には、圧損の小さい防虫や小動物用の防護網２５等が嵌め込まれ設置されている。なお、前記の「ボリュート曲線とは、流体力学に基づきシロッコファン１７とファンケーシング１９との空気通路２３形状を風量および風速を最大になる形状の曲線」である。なお、シロッコファン１７の替わりに、ターボファンでも良く、また風量が多く、騒音特性に優れたラジアルファンも同様な機能を有しており使用しても良い。
【００２７】
次に図３（ロ）は、ボリュート空気通路２３がモーター垂直軸（ファン回転軸）１６と平行で、シロッコファン１７の周りのケーシング１９に等間隔に複数（この図では５個）の空気通路２３および本体排気口２４が形成されている。このケーシング１９は、図３（ハ）、図３（ニ）に比べ単純な構造で、最も経済的な攪拌型送風機１３である。なお、空気通路２３を等間隔に配置するのは、空気通路２３の送風量を各個所ほぼ同等にして床下空間への供給量を偏らないように平均化し、また送風機回転時のバランスを良くして騒音を少なくするためである。
【００２８】
次に図３（ハ）は、図３（ロ）と同様にボリュート空気通路２３がモーター垂直軸（ファン回転軸）１６と平行で、ファン周りのケーシングに等間隔に複数（この図では５個）の空気通路２３および本体排気口２４が形成されると共に、ファンケーシング１９をモーター垂直軸１６に直角に複数段（この図は２段）に仕切って分割し、ファン周りの空気通路２３間の角度の半分角をファンケーシング１９の周方向に空気通路２３を変位させ、ファン周りに空気通路２３が等間隔に配置形成されている。例えば、図３（イ）の空気通路２３が５個所を図３（ハ）のように２段にする場合、下段の空気通路２３の間隔は、ファン周りの角度は「３６０÷５＝７２度」で上段は、この角度の半分角＝３６度を下段の空気通路２３より周方向に変位させる。この様に複数段にすれば１段の場合に比べて、送風量は、ほぼ同等であるが、送風個所が二倍になり送風される範囲がほぼ全周可能になるので床下空間６の温度のバラツキが低減する。なお、分割を数段にすると風量は多くなるが、風速が低下の恐れがあり、また普通の床下高さには納まらなくなり、さらに構造が複雑化しコスト的に不利になるので、２段か、もしくは３段以下が好ましい。
【００２９】
次に、図３（ロ）はボリュート空気通路２３がモーター垂直軸と平行に形成されているのに対して、図３（ニ）は、ボリュート空気通路２３がファン回転方向へ高さが徐々に高くなる傾斜の空気通路２３を形成し、ファンの周りに等間隔に複数（この図では５個）の空気通路２３および本体排気口２４がケーシング１９に形成されている。なお、ファンケーシング１９の空気通路２３をシロッコファン１７の回転方向に高さを傾斜させることは、シロッコファン１７に吸込まれた空気は回転方向に徐々に上昇しながら羽根を通過して行く傾向にあるため、吸込まれた空気は、傾斜された空気通路２３を少ない抵抗でスムースに排出されるので送風量は多くなる。さらに、傾斜の空気通路２３は全周ほぼ連続されるので、送風範囲が全周可能になり床下空間６の温度のバラツキが低減する。なお、図３（ロ）、図３（ハ）、図３（ニ）に示したボリュート空気通路２３や本体排気口２４の形状は、先に特許文献として記述した「特開２００１−３５５５９８号公報」や「特開２００３−２８０９５号公報」に掲載の本体排気口形状とほぼ同様である。ただし、ダクト２９は取付けられていない。
【００３０】
次に図３（ホ）は、床下の一区画に図３（ロ）の攪拌型送風機１３を設置、その送風状態の模式図を示し、ダクト２９や吸込みダクト３８で引き込まれた冷温風３４は、攪拌型送風機１３の本体排気口２４の５個所から床下へ送風され、床下の各区画内の隅々まで行き届かせ、隣の区画まで流通する。この場合、中基礎の人通口を空気流通の適所に配置し、中基礎と土台間の隙間通気ができる基礎パッキン（ネコ土台）等を用いることが必要である。
【００３１】
次に図４は、図７の住宅設置事例（２）に用いた本発明の攪拌型送風機１３に分岐チャンバーＡ２６に複数の吸い込みダクト３８取付けを示す。図４（イ）は、大引き５に本体ブラケット１４で攪拌型送風機１３を取付けているが、コンクリートスラブ３に据え付けても良い。さらに、攪拌型送風機１３の本体吸い込み口１８に設けた分岐チャンバーＡ２６に複数の吸い込みダクト３８が取付けられ、前記吸い込みダクト３８の先端は、床板４下の蓄熱空間８下の断熱板３７に直継手３０で接続されバンド３１で固定し、蓄熱空間８内の冷温風３４の空気を吸い込みダクト３８で引き込み、攪拌型送風機１３から床下へ排気、供給される。この分岐チャンバーＡ２６を用いると各吸い込みダクト長さ、曲げ数が同じであれば、ほぼ同等の吸込み風量が得られる。分岐チャンバーＡ２６はプラスチック樹脂や鋼板、ステンレス板、アルミ板等で製作されており、ケーシング下板２１の本体吸込み口１８にネジ等で取付けられている。なお、本体吸込み口の直径は、シロッコファン１７の羽根内径と同程度にして圧損抵抗が大きくならない様にする。なお、図４（ロ）は、図４（イ）Ｄ−Ｄ視下面図である。
【００３２】
次に図５は、吸込みダクト３８部のバリエーションを示し、図５（イ）、図５（ロ）は、攪拌型送風機１３の本体吸込み口１８にエルボ２８を取付け、これに吸込みダクト３８を取付け、さらにこの吸込みダクト３８に分岐チャンバーＢ２７を接続、これに複数の分岐ダクト３９を設けている。この分岐チャンバーＢ２７を用いると各ダクトがほぼ同等の吸込み風量が得られる。さらに図４のダクト構成で分岐チャンバーＡ２６が設置し難い場合や分岐ダクト３９の数量を増やす場合は、この分岐チャンバーＢ２７で対応すれば簡単にできる。なお、攪拌型送風機１３の本体吸込み口１８にエルボ２８を使わず簡略化する場合は、図５（ハ）の本体吸込み口１８に直継手３０を用いて、吸込みダクト３８を接続し、さらに分岐チャンバーＢ２７を接続しても良い。
【００３３】
次に図６は、本発明の攪拌型送風機１３を用いて、床下冷暖房システムを設置した住宅事例（１）で、前述した通り本発明者が特許出願中の物件である。図６（イ）は、室外に設置のヒートポンプユニット１０と閉構造された床下内部の強制循環器（熱交換器）１２は、液体および冷媒の循環パイプ１１で接続され、さらに前記強制循環器１２に接続されたダクト２９により冷温風３４を供給するように構成されており、さらに該ダクト２９の先端には攪拌型送風機１３が接続されている。前記ダクト２９を介して、攪拌型送風機１３に引き込まれた冷温風３４空気は、床下に排気、供給され、床下空間の広い面積を攪拌、対流し強制循環器１２に戻る循環経路が形成されており、冷温風３４空気が繰り返し床下の広い空間の隅々まで行き届くので、温度のバラツキが少なく、冷温風３４による床板４からのふく射熱３５により室内空間７が冷暖房される。
【００３４】
次に図６（ロ）は、図６（イ）の攪拌型送風機１３を用いた床下冷暖房システムを設置した住宅事例（１）の平面模式図で、床下内部に設置の強制循環器１２に接続されたダクト２９は、布基礎１で囲まれた中基礎２の間を配管し、先端には図２に示す攪拌型送風機１３が接続されている。なお、攪拌型送風機１３からの冷温風３４の送風到達距離３６は、中基礎２で遮断されない限り、半径４ｍ以上の広い範囲に行き届くことができる。（図６（ロ）の円形線は、送風機本体から半径３ｍの平面距離の範囲を示す。）
【００３５】
次に図７は、図６と同様に本発明の攪拌型送風機１３を用いた床下冷暖房システムを設置した住宅事例（２）で、前述した通り本発明者が特許出願中の物件である。図７（イ）は、室外に設置のヒートポンプユニット１０と閉構造された床下内部の強制循環器（熱交換器）１２は、液体および冷媒の循環パイプ１１で接続され、さらに前記強制循環器１２に接続されたダクト２９により、床板４下に蓄熱材９を設置した蓄熱空間８に冷温風３４を供給するように構成されている。一方前記蓄熱空間８に接続の吸い込みダクト３８に図４に示す分岐チャンバーＡ２６を用いた攪拌型送風機１３を接続、これを床下空間６に設置し、前記攪拌型送風機１３で蓄熱空間８内の前記冷温風３４の空気を引き込み床下に排気、供給され、床下空間６の広い面積を攪拌、対流し強制循環器１２に戻る循環経路が形成されており、冷温風３４空気が繰り返し床下の広い空間の隅々まで行き届くので、温度のバラツキが少なく、冷温風３４による床板４からのふく射熱３５により室内空間７が冷暖房される。
【００３６】
次に図７（ロ）は、図７（イ）の攪拌型送風機１３を用いた床下冷暖房システムを設置した住宅事例（２）の平面模式図で、床下内部に設置の強制循環器１２に接続されたダクト２９により、冷暖房を優先したい台所や居間等の床板４下に、蓄熱材９を設置した蓄熱空間８を設け、ここへ冷温風３４の空気を供給するように構成されている。なお、攪拌型送風機１３からの冷温風３４の送風到達距離３６は、中基礎２で遮断されない限り、半径４ｍ以上の広い範囲に行き届くことができる。（図７（ロ）の円形線は、送風機本体から半径３ｍの平面距離の範囲を示す。）
【符号の説明】
【００３７】
１    布基礎
２    中基礎
３    コンクリートスラブ
４    床板
５    大引き
６    床下空間
７    室内空間  
８    蓄熱空間
９    蓄熱材（潜熱蓄熱材や水蓄熱材等）
１０  ヒートポンプユニット（室外ユニットおよびエアコン室外機）
１１  液体および冷媒循環パイプ
１２  強制循環器（室内ユニットおよびエアコン室内機）
１３  吸込みダクト付攪拌型送風機（攪拌型送風機）
１４  本体ブラケット
１５  モーター
１６  モーター垂直軸（ファン回転軸）
１７  シロッコファン
１８  本体吸込み口
１９  ファンケーシング（ケーシング）
２０  ケーシング上板（上板）
２１  ケーシング下板（下板）
２２  風ガイド
２３  ボリュート空気通路
２４  本体排気口  
２６  分岐チャンバーＡ
２７  分岐チャンバーＢ
２８  エルボ
２９  ダクト
３０  直継手
３２  ダクト給気口
３３  ダクト吸込み口
３４  冷温風
３５  ふく射熱
３６  送風到達距離
３７  断熱板
３８  吸い込みダクト
３９  分岐ダクト
【図１】
2012255583.tif 000003
【図２】
2012255583.tif 000004
【図３】
2012255583.tif 000005
【図４】
2012255583.tif 000006
【図５】
2012255583.tif 000007
【図６】
2012255583.tif 000008
【図７】
2012255583.tif 000009